(57)【要約】【課題】塵や埃などの極めて小さな汚れであっても確実に清掃でき、スリットガラスの清掃漏れを防ぐことができるようにする。【解決手段】原稿の第１読取位置に配置されたスリットガラスの下面に設けられ、複数のセンサチップが配置されてなるイメージセンサ４１と、イメージセンサ４１に隣接するようにして配設された複数のＬＥＤ４３ａ〜４３ｎと、ＬＥＤ４３ａ〜４３ｎの各発光を制御するＬＥＤ発光制御手段４０ｂと、ＬＥＤ発光制御手段４０ｂによるＬＥＤ４３ａ〜４３ｎの各発光に伴って、各センサチップで読み取った画像の輝度が閾値以上か否かを検出する第１読取制御手段４０ａと、を備え、スリットガラスの清掃時、読み取った画像の輝度が一定の閾値以上であることが検出されたセンサチップに対応するＬＥＤの発光を停止させるように制御する構成とされている。【選択図】図５
2015220486.tif 000002
【特許請求の範囲】
【請求項１】
直線上に整列して配置された複数のセンサ素子からなる画像読取手段と、
前記画像読取手段を保護するように前記画像読取手段と被読取対象との間に配置された透明な保護手段と、
前記複数のセンサ素子の整列方向に沿って隣接するように配置された複数の発光手段と、
前記複数の発光手段の各発光を制御する発光制御手段と、
前記発光制御手段による前記複数の発光手段の各発光に伴って、前記複数のセンサ素子で読み取った各画像の輝度が閾値以上か否かを検出する画像検出手段と、を具備し、
前記保護手段を清掃する清掃時、前記発光制御手段は、一旦、前記複数の発光手段の全てを発光させるとともに、前記画像検出手段によって読み取った画像の輝度が一定の閾値以上であることが検出されたセンサ素子に対応する発光手段の発光を停止させるように制御することを特徴とする画像読取装置。
【請求項２】
前記発光制御手段は、前記複数の発光手段の全ての発光を停止させた後、前記画像検出手段の検出結果に応じて、前記複数の発光手段の発光を制御することを特徴とする請求項１に記載の画像読取装置。
【請求項３】
前記発光制御手段は、前記複数の発光手段の発光量を少なくとも２段階に切り替える発光量制御手段をさらに備え、
前記発光量制御手段は、前記画像検出手段によって読み取った画像の輝度が一定の閾値以上であることが検出されたセンサ素子に対応する発光手段の発光量が、それまでの発光量よりも低下するように制御することを特徴とする請求項１または２に記載の画像読取装置。
【請求項４】
前記複数の発光手段は、それぞれ、赤，緑，青の各色の発光ダイオードによって構成され、
前記保護手段を清掃する清掃時、前記発光制御手段は、順次、前記各色の発光ダイオードを切り替えて発光させるように制御することを特徴とする請求項１〜３のいずれか一項に記載の画像読取装置。
【請求項５】
前記保護手段の他面側に設けられ、前記保護手段に対する清掃の実施を検知する清掃検知手段をさらに備え、
前記発光制御手段は、前記画像検出手段によって読み取った画像の輝度が一定の閾値以上であることが検知され、かつ、前記清掃検知手段によって清掃の実施が検知された場合にのみ、対応する発光手段の発光を停止させるように制御することを特徴とする請求項１〜４のいずれか一項に記載の画像読取装置。
【請求項６】
前記発光制御手段によって発光されたままの発光手段があるか否かにより、前記保護手段の拭き残しを報知する報知手段をさらに備えることを特徴とする請求項１〜５のいずれか一項に記載の画像読取装置。
【請求項７】
前記画像読取手段の使用に関する履歴情報を更新記憶する記憶手段と、
前記記憶手段で記憶された前記履歴情報に基づいて、前記保護手段を清掃するように促す通知手段と、
をさらに備えることを特徴とする請求項１〜６のいずれか一項に記載の画像読取装置。
【発明の詳細な説明】
【技術分野】
【０００１】
本発明は、原稿画像を光学的に読み取る画像読取装置に関する。
【背景技術】
【０００２】
例えば、複写機やＦＡＸなどにおける画像読取装置は、原稿搬送装置によって原稿を定速搬送しながらイメージセンサ上を通過させることで、原稿の画像面を全面的に走査して、該原稿の画像を読み取るように構成されている。
【０００３】
通常、画像読取装置は、原稿の搬送経路とイメージセンサとの間が、ガラスなどの透明部材によって仕切られている。また、画像読取装置は、原稿を、その画像面が透明部材と接触するように、原稿搬送装置によって搬送経路上を搬送させるようになっている。
【０００４】
すなわち、透明部材は、原稿の画像を読み取るときに、原稿と透明部材とを接触させることで、画像面とイメージセンサとの距離を一定に保ち、最適な焦点距離にて精細な画像を読み取るとともに、イメージセンサを保護するようになっている。
【０００５】
ところで、画像読取装置は、搬送しようとする原稿に、鉛筆の粉や消しゴムのカスまたは乾いていないインクや接着剤などが汚れとして付着していると、その汚れが透明部材に移ることがある。透明部材に移った汚れは、読み取り画像上に筋となって現れる。このため、透明部材は、ユーザによるこまめな清掃が必要になっている。
【０００６】
しかし、透明部材は、イメージセンサなどの小型化や画像読取装置そのものの小型化が進むにつれ、汚れを視認して清掃するのが容易でなく、清掃漏れが起きやすいという問題があった。
【０００７】
こうした問題を解決するため、従来の画像読取装置にあっては、原稿を搬送する前にイメージセンサによって透明部材上の汚れの有無を読み取り、汚れがある箇所の発光素子を発光させて汚れを視認しやすくしたものが提案されている（例えば、特許文献１参照）。
【発明の概要】
【発明が解決しようとする課題】
【０００８】
しかしながら、上記した特許文献１に記載の画像読取装置では、イメージセンサの分解能を下回る塵や埃などの小さな汚れを検出することができず、透明部材の清掃漏れを解消できないという課題があった。
【０００９】
なお、画像読取装置としては、原稿が透明部材と直に接触しないようにして、透明部材が汚されるのを防ぐようにしたものも存在するが、この画像読取装置の場合は、原稿の画像面とイメージセンサとの距離を一定に保つのが難しくなる。そればかりか、原稿と接触しなくても、透明部材には、空気中を自由に移動できる程度の軽量の塵や埃などが汚れとなって付着するため、清掃漏れを回避することはできない。
【００１０】
本発明は、上述したような課題を解決するためになされたもので、塵や埃などの極めて小さな汚れであっても確実に清掃でき、透明部材の清掃漏れを防ぐことができる画像読取装置を提供することを目的とする。
【課題を解決するための手段】
【００１１】
本発明に係る画像読取装置は、直線上に整列して配置された複数のセンサ素子からなる画像読取手段と、前記画像読取手段を保護するように前記画像読取手段と被読取対象との間に配置された透明な保護手段と、前記複数のセンサ素子の整列方向に沿って隣接するように配置された複数の発光手段と、前記複数の発光手段の各発光を制御する発光制御手段と、前記発光制御手段による前記複数の発光手段の各発光に伴って、前記複数のセンサ素子で読み取った各画像の輝度が閾値以上か否かを検出する画像検出手段と、を具備し、前記保護手段を清掃する清掃時、前記発光制御手段は、一旦、前記複数の発光手段の全てを発光させるとともに、前記画像検出手段によって読み取った画像の輝度が一定の閾値以上であることが検出されたセンサ素子に対応する発光手段の発光を停止させるように制御することを特徴とする。
【発明の効果】
【００１２】
本発明によれば、塵や埃などの極めて小さな汚れであっても確実に清掃でき、透明部材の清掃漏れを防ぐことができる画像読取装置を提供できる。
【図面の簡単な説明】
【００１３】
【図１】本発明の実施の形態に係る複写機の概略断面図である。
【図２】本発明の実施の形態に係る複写機の自動原稿読取装置の概略断面図である。
【図３】本発明の実施の形態に係る複写機の制御回路の概略構成を示すブロック図である。
【図４】本発明の実施の形態に係る複写機の第１読取部の概略構成を示す斜視図である。
【図５】本発明の実施の形態に係る複写機の第１読取部の概略構成を示すブロック図である。
【図６】本発明の第１実施例に係る複写機のスリットガラスの清掃時における処理の流れを説明するために示すフローチャートである。
【図７】本発明の第１実施例に係る複写機のスリットガラスの清掃時における処理を説明するための概略図である。
【図８】本発明の第２実施例に係る複写機のスリットガラスの清掃時における処理の流れを説明するために示すフローチャートである。
【図９】本発明の第３実施例に係る複写機の第１読取部の概略構成を示す構成図である。
【図１０】本発明の第３実施例に係る複写機のスリットガラスの清掃時における第１読取部の制御について説明するための図である。
【図１１】本発明の第３実施例に係る複写機のスリットガラスの清掃時における処理の流れを説明するために示すフローチャートである。
【図１２】本発明の第４実施例に係る複写機のスリットガラスの清掃時における第１読取部の制御について説明するための図である。
【図１３】本発明の第５実施例に係る複写機の第１読取部の概略構成を示す斜視図である。
【図１４】本発明の第５実施例に係る複写機のスリットガラスの清掃時における処理の流れを説明するために示すフローチャートである。
【図１５】本発明の第５実施例に係る複写機のスリットガラスの清掃時における処理を説明するための概略図である。
【図１６】本発明の第６実施例に係る複写機のスリットガラスの清掃時における処理の流れを説明するために示すフローチャートである。
【図１７】本発明の第７実施例に係る複写機の第１読取部の概略構成を示すブロック図である。
【図１８】本発明の第７実施例に係る複写機のスリットガラスを清掃する際の処理の流れを説明するために示すフローチャートである。
【発明を実施するための形態】
【００１４】
以下、本発明の実施の形態について、図面を参照して説明する。なお、本実施の形態においては、画像読取装置を、自動原稿読取装置（単に、ＡＤＦとも略記する）を備えた画像形成装置、例えば、電子写真方式の複写機に適用した場合を例示している。
【００１５】
なお、複写機としては、例えば、一般的な静電作像方法を用いて画像を形成するフルカラーの複写機やモノクロ画像を形成する複写機などが挙げられる。また、作像方法としては、電子写真方式以外にも、例えば、インクジェット方式などを用いることも可能である。さらに、画像形成装置としては複写機に限定されず、例えば、ＦＡＸ、スキャナ装置、または、これらの機器を複合的に備えたＭＦＰ（Multi Function Peripheral／Printer／Product）などのオフィス機器であってもよい。
【００１６】
図１に示すように、画像形成装置としての複写機１は、給紙部２と、画像形成部３と、画像読取部４と、自動原稿読取装置としてのＡＤＦ５と、から構成されている。本実施の形態においては、後述するように、画像読取部４の第１読取部４０が画像読取装置の主要部を構成するとともに、ＡＤＦ５または原稿搬送部５２が搬送手段として、画像読取部４のスリットガラス４５が保護手段として、それぞれ機能するようになっている。
【００１７】
給紙部２は、同一サイズまたはサイズの異なる記録媒体としてのシート状の記録紙Ｐを一括して収納可能とする上下三段の給紙カセット２１Ａ，２１Ｂ，２１Ｃを有している。給紙部２は、各給紙カセット２１Ａ，２１Ｂ，２１Ｃに一括して収納された複数枚の記録紙Ｐをそれぞれ１枚ずつピックアップして給紙する給紙装置２１，２２，２３を有している。給紙部２は、これら給紙装置２１，２２，２３から給紙された記録紙Ｐを画像形成部３の所定の画像形成位置まで搬送するための、各種ローラなどから形成される給紙経路２４を有している。
【００１８】
画像形成部３は、露光装置３１と、複数の感光体ドラム３２と、異なる色（例えば、シアン（Ｃ）、マゼンタ（Ｍ）、イエロー（Ｙ）、ブラック（Ｋ））のトナーが充填された現像装置３３と、転写ベルト３４と、二次転写部３５と、定着部３６と、を備えている。
【００１９】
画像形成部３は、例えば、被読取対象としての原稿Ｓ（または、原稿）の画像面から画像読取部４で読み取った読取画像に基づいて、露光装置３１からのレーザ光Ｌにより各感光体ドラム３２を露光して、各感光体ドラム３２に潜像を形成するようになっている。これにより、各現像装置３３は、感光体ドラム３２のそれぞれに異なる色のトナーを供給して潜像を現像し、各色のトナー像を形成するようになっている。
【００２０】
そして、画像形成部３は、感光体ドラム３２上の各色のトナー像を転写ベルト３４に一次転写し、二次転写部３５で記録紙Ｐに各色のトナー像を二次転写した後に、定着部３６により該トナー像を溶融して記録紙Ｐにカラー画像を定着させるようになっている。
【００２１】
ところで、画像形成部３は、給紙部２の給紙経路２４に搬送された記録紙Ｐを引き継ぎ、レジスト部３７で転写ベルト３４上のトナー像に同期させた状態で二次転写部３５および定着部３６を経由し、集積トレイ３８に排紙する搬送経路３９Ａを有している。
【００２２】
また、画像形成部３は、手差トレイ２５に積載した記録紙（図示せず）を、レジスト部３７よりも上流側で搬送経路３９Ａに給紙する手差給紙経路３９Ｂを有している。
【００２３】
さらに、画像形成部３は、記録紙Ｐの両面に画像を形成する場合に、表面側の画像定着後の記録紙Ｐを、スイッチバック経路３９Ｃおよび反転経路３９Ｄを経由して、レジスト部３７よりも上流側に再給紙するようになっている。
【００２４】
画像読取部４は、光源部４３および画像読取手段としてのイメージセンサ４１を搭載した第１読取部４０と、この第１読取部４０をプラテンガラス４６の下面に沿って図１の左右方向に移動させる移動機構（図示せず）と、を備えている。また、画像読取部４は、第１読取部４０をスリットガラス４５の直下である一面側の第１読取位置に移動させるとともに、その第１読取位置で停止させるための機構（図示せず）を、さらに備えている。
【００２５】
イメージセンサ４１は、入射光に応じた電圧を発生するものであって、第１読取部４０の撮像部を構成するものである。イメージセンサ４１には、例えば、密着イメージセンサ（Contact Image Sensor、単にＣＩＳともいう）が用いられている。なお、ＣＩＳは、一般に原稿Ｓの搬送方向である副走査方向に直交する、主走査方向に沿ってセンサ素子である複数のセンサチップが列状に配置されているとともに、等倍結像系（図示せず）を有している。
【００２６】
すなわち、イメージセンサ４１は、ＣＣＤなどの撮像素子であるセンサチップによって、結像された原稿Ｓまたは原稿の画像面に対応した反射光像を光電変換し、アナログ画像信号を生成するようになっている。そして、該イメージセンサ４１は、生成したアナログ画像信号を読取画像として、後述する本体制御部１１１を介して、画像形成部３の露光装置３１に出力するようになっている。
【００２７】
なお、光源部４３およびイメージセンサ４１を含む第１読取部４０の詳細については、後述する。
【００２８】
画像読取部４は、ＡＤＦ５により搬送中の原稿Ｓの表面画像を読み取る場合、図１に示すように、第１読取部４０を保護手段としてのスリットガラス４５の直下の読取位置となる第１読取位置に移動し、その位置で停止させるようになっている。
【００２９】
そして、第１読取部４０は、スリットガラス４５上を通過中の原稿Ｓに向かって光源部４３からの照明光を照射するようになっている。また、第１読取部４０は、スリットガラス４５を透過して原稿Ｓの表面で反射した反射光を、スリットガラス４５を介してイメージセンサ４１に結像させることにより、原稿Ｓの表面画像を読み取るようになっている。
【００３０】
一方、画像読取部４には、スリットガラス４５とプラテンガラス４６との間に、プラテンガラス４６に載置される原稿を突き当てて位置決めする突き当て部材４７が設けられている。
【００３１】
第１読取部４０は、プラテンガラス４６上に載置される原稿の表面画像または裏面画像を読み取る場合、プラテンガラス４６の下面に沿って副走査方向に所定の速度で移動するようになっている。
【００３２】
そして、第１読取部４０は、移動する過程で光源部４３により原稿に光を照射し、該原稿からの反射光を、プラテンガラス４６を介してイメージセンサ４１に結像させることにより、原稿の表面画像または裏面画像を読み取るようになっている。
【００３３】
ここで、ＡＤＦ５は、図１の前後方向に対応する複写機１の奥側において、一般に、ヒンジを介して回動自在に取り付けられている。これにより、ＡＤＦ５は、奥側を軸に任意の角度をもってユーザの手動による開閉が可能とされている。したがって、プラテンガラス４６上には、原稿の手動による載置のほか、普通紙などからなるシート状の原稿のみでなく、雑誌などの厚みを有する原稿をもセットすることができるようになっている。
【００３４】
なお、上述した給紙部２、画像形成部３、画像読取部４は、後述する本体制御部１１１によって、通常動作モード時の駆動などが制御されるが、これらの各種制御は公知の技術を用いているために、ここでの詳細な説明は省略する。
【００３５】
ＡＤＦ５は、詳細については後述するが、原稿載置台としての原稿トレイ５１と、各種ローラなどからなる搬送手段としての原稿搬送部５２と、画像読取後の原稿Ｓを集積する排紙トレイ５３と、第２読取部５４と、を備えている。
【００３６】
すなわち、ＡＤＦ５は、原稿トレイ５１に載置された原稿Ｓの原稿束から最上位の原稿Ｓを１枚ずつ分離し、原稿搬送部５２によりスリットガラス４５の他面側である上面上を、例えば、スリットガラス４５に接触させながら搬送するようになっている。また、ＡＤＦ５は、原稿Ｓがスリットガラス４５を通過する際に、画像読取部４により該原稿Ｓの表面画像を読み取らせるようになっている。また、ＡＤＦ５は、必要時、例えば両面読取モードの設定に応じて、第２読取部５４によって、原稿Ｓの裏面の読取画像である裏面画像の読み取りを行うようになっている。そして、ＡＤＦ５は、画像の読み取りを行った後の原稿Ｓを原稿搬送部５２によりさらに搬送し、排紙トレイ５３に排紙するようになっている。
【００３７】
ＡＤＦ５は、上述したように、プラテンガラス４６などを露出する位置と、プラテンガラス４６などを被覆する位置と、の間で、リフトアップおよびリフトダウンによる開閉が可能なように回動自在に取り付けられている。
【００３８】
なお、ＡＤＦ５は、プラテンガラス４６に対向する下面が、プラテンガラス４６上に載置された原稿をカバーする原稿押えとして機能するとともに、シェーディング補正用の白基準データ（シェーディングデータ）を生成するための基準白部を兼用している。ただし、後述する第１読取ローラ５ｓが基準白部を兼用する場合には、ＡＤＦ５のプラテンガラス４６に対向する下面の基準白部としての機能は省略することもできる。
【００３９】
次に、ＡＤＦ５の基本的な構成、動作、作用について説明する。
【００４０】
図２は、ＡＤＦ５の構成例を示すものである。
【００４１】
ＡＤＦ５は、原稿搬送部５２に沿うようにして、原稿セット部Ａ、分離給送部Ｂ、レジスト部Ｃ、ターン部Ｄ、第１読取搬送部Ｅ、第２読取搬送部Ｆ、排紙部Ｇ、および、スタック部Ｈが順に配置されている。
【００４２】
原稿セット部Ａは、被読取対象となる原稿Ｓを複数枚単位の原稿束としてセットすることが可能とされている。原稿セット部Ａは、原稿束をセットするための原稿トレイ５１を含む、可動原稿テーブル５ａを有している。原稿トレイ５１上には、原稿束が、原稿Ｓの画像面である表面を上向きにした状態でセットされるようになっている。なお、可動原稿テーブル５ａは、原稿トレイ５１上にセットされる原稿束の原稿枚数に応じて、図示矢印ａ，ｂ方向に上下動が可能な構成とされている。
【００４３】
また、原稿セット部Ａには可動式のサイドガイドが設けられ、該サイドガイドによって、可動原稿テーブル５ａ上にセットされる原稿Ｓの幅（主走査）方向が位置決めされるようになっている。また、原稿セット部Ａには、原稿Ｓのセットを検知するためのセットフィラー５ｂ、原稿セットセンサ５ｃ、および、底板ホームポジションセンサ５ｄが設けられている。
【００４４】
さらに、原稿セット部Ａには、原稿トレイ５１の上面にセットされた原稿Ｓの搬送方向の概略長を測定するための原稿長さ検知センサ５ｅ，５ｆが設けられている。原稿長さ検知センサ５ｅ，５ｆとしては、例えば、反射型センサまたは原稿Ｓが１枚のときであっても検知可能なアクチェータタイプのセンサが用いられるようになっている。なお、原稿長さ検知センサ５ｅ，５ｆは、少なくとも同一サイズの原稿Ｓのセット方向（原稿Ｓの長手方向が搬送方向に一致する縦搬送か、または、原稿Ｓの短手方向が搬送方向に一致する横搬送か）を判別することが可能な位置に配置されている。
【００４５】
分離給送部Ｂは、原稿セット部Ａにセットされた原稿束から原稿Ｓを１枚ごとに分離し、レジスト部Ｃに給送するものである。分離給送部Ｂは、ピックアップローラ５ｇ、テーブル上昇センサ５ｈ、給紙ベルト５ｉ、および、リバースローラ５ｊを有している。
【００４６】
ピックアップローラ５ｇは、後述するピックアップ昇降モータ１０１により駆動される図示していないカム機構によって、矢印ｃ，ｄ方向に動作されるようになっている。また、ピックアップローラ５ｇは、後述するピックアップ搬送モータ１１５の正転により給紙（搬送）方向に回転されるようになっている。このようにして、ピックアップローラ５ｇは、原稿読取動作の開始に伴って、ピックアップローラ５ｇに当接する可動原稿テーブル５ａ上の原稿束の最上位の原稿Ｓだけを搬送方向側に取り込むようになっている。
【００４７】
テーブル上昇センサ５ｈは、可動原稿テーブル５ａの上昇に伴って、可動原稿テーブル５ａ上の原稿束の最上位の原稿Ｓによってピックアップローラ５ｇが上限の位置まで押し上げられたことを検知するものである。
【００４８】
給紙ベルト５ｉは、後述する給紙モータ１０２の正転により給紙（搬送）方向に駆動されるようになっている。リバースローラ５ｊは、給紙モータ１０２の正転により給紙とは逆方向（時計廻り方向）に駆動されるようになっている。すなわち、給紙ベルト５ｉおよびリバースローラ５ｊは、最上位の原稿Ｓとその下の原稿Ｓとを分離して、最上位の原稿Ｓのみを給紙する構成となっている。
【００４９】
リバースローラ５ｊは、所定圧により給紙ベルト５ｉと接し、給紙ベルト５ｉと直接接しているとき、または、原稿Ｓを１枚だけ介して接している状態では、給紙ベルト５ｉの回転につられて反時計廻り方向につれ回りするようになっている。つれ回りする際の力が不図示のトルクリミッタのトルクよりも低くなるように設定しておくことによって、このＡＤＦ５は、万が一、２枚以上の原稿Ｓが給紙ベルト５ｉとリバースローラ５ｊとの間に侵入した場合にも重送を防止できるようになっている。すなわち、リバースローラ５ｊは、重送時、つれ廻りとは逆の本来の駆動方向である時計廻り方向に回転し、余分な原稿Ｓを反搬送方向に押し戻すような働きをするようになっている。
【００５０】
レジスト部Ｃは、分離給送部Ｂより給送された原稿Ｓを一次突当整合するとともに、整合後の原稿Ｓを引き出してターン部Ｄに搬送するものである。レジスト部Ｃは、突き当てセンサ５ｋ、プルアウトローラ５ｍ、および、原稿幅センサ５ｎを有している。
【００５１】
突き当てセンサ５ｋは、分離給送部Ｂの給紙ベルト５ｉによって送られる原稿Ｓの先端を検知するものである。これにより、給紙ベルト５ｉは、先端が検知された原稿Ｓを、その先の停止状態にあるプルアウトローラ５ｍに突き当たるまで、突き当てセンサ５ｋによる先端検知の位置から所定の距離だけ送るようになっている。
【００５２】
結果的には、給紙ベルト５ｉは、原稿Ｓがプルアウトローラ５ｍに所定量の撓みをもって押し当てられた状態で、後述する給紙モータ１０２が停止されることにより、その駆動が停止されるようになっている。その際に、このＡＤＦ５では、後述するピックアップ昇降モータ１０１を回転させ、ピックアップローラ５ｇを原稿Ｓの表面から退避させるようになっている。すなわち、レジスト部Ｃにおいては、原稿Ｓが給紙ベルト５ｉの搬送力のみで送られることにより、原稿Ｓの先端がプルアウトローラ５ｍの上下ローラ対のニップへと進入することで、先端の整合（いわゆる、スキュー補正）が行われるようになっている。
【００５３】
プルアウトローラ５ｍは、スキュー補正の機能を有するとともに、スキュー補正された原稿Ｓを中間ローラ５ｐまで搬送する役目をもっている。プルアウトローラ５ｍは、例えば、後述する給紙モータ１０２の逆転により駆動されるようになっている。なお、給紙モータ１０２の逆転時、プルアウトローラ５ｍおよび中間ローラ５ｐは駆動されるが、ピックアップローラ５ｇおよび給紙ベルト５ｉは駆動されないようになっている。
【００５４】
原稿幅センサ５ｎは、原稿Ｓの搬送方向に直交する主走査方向に複数個並べられ、プルアウトローラ５ｍによって搬送される原稿Ｓの短手方向のサイズを検知するものである（縦搬送時）。なお、副走査方向である原稿Ｓの搬送方向の長さ（長手方向のサイズ）は、原稿Ｓの先端および後端を突き当てセンサ５ｋで読み取ることにより、例えば、先端検知から後端検知までの間に給紙モータ１０２に供給されるパルス数から測定するようになっている。
【００５５】
ターン部Ｄは、レジスト部Ｃより搬送される原稿Ｓをターンさせて、原稿Ｓの表面を第１読取位置に向けて下向きに搬送するものである。ターン部Ｄは、中間ローラ５ｐおよび読取入口センサ５ｑを有している。
【００５６】
中間ローラ５ｐは、後述する中間搬送モータ１１３によって駆動され、レジスト部Ｃのプルアウトローラ５ｍにより送られる原稿Ｓを第１読取搬送部Ｅに向けて搬送するようになっている。
【００５７】
読取入口センサ５ｑは、中間ローラ５ｐにより搬送される原稿Ｓの先端を検知するものである。
【００５８】
ここで、本ＡＤＦ５は、原稿搬送動作の開始に伴って、原稿Ｓをレジスト部Ｃからターン部Ｄに搬送する際には、レジスト部Ｃでの搬送速度が第１読取搬送部Ｅでの搬送速度よりも高速になるように設定されている。これにより、このＡＤＦ５では、原稿Ｓが第１読取搬送部Ｅへ送り込まれるまでの時間の短縮化を図るようになっている。
【００５９】
一方、本ＡＤＦ５は、原稿Ｓの先端が読取入口センサ５ｑにより検知されると、読取入口ローラ５ｒの上下ローラ対のニップに原稿Ｓの先端が進入する前に、中間搬送モータ１１３を制御して搬送速度の減速を開始するようになっている。すなわち、このＡＤＦ５では、原稿Ｓの先端が読取入口センサ５ｑにより検知された時点から、原稿Ｓの搬送速度が読取時の搬送速度と同速になるように制御するようになっている。
【００６０】
また、本ＡＤＦ５は、この制御と同時に、後述する読取モータ１０３および読取入口モータ１１４を正転駆動するようになっている。これにより、このＡＤＦ５では、第１読取搬送部Ｅの読取入口ローラ５ｒ、第１読取ローラ５ｓ、読取出口ローラ５ｔ、第２読取搬送部Ｆの第２読取ローラ５ｕ、ＣＩＳ出口ローラ５ｖが駆動されるようになっている。
【００６１】
また、ＡＤＦ５は、原稿Ｓの先端がレジストセンサ５ｗによって検知されると、後述する読取入口モータ１１４を制御して、所定の搬送距離をかけて原稿Ｓの搬送速度を減速させ、原稿Ｓを第１読取位置の手前で一時停止させるようになっている。なお、以下の説明において、この原稿Ｓを第１読取位置の手前で一時停止させる動作を「レジスト停止」とも称する。
【００６２】
この後、ＡＤＦ５は、原稿読取動作の開始に伴って読取入口モータ１１４を制御し、レジスト停止していた原稿Ｓを、第１読取位置に先端が到達するまでの間に所定の読取時の搬送速度に立上るように増速させながら搬送するようになっている。
【００６３】
第１読取搬送部Ｅは、原稿Ｓの表面画像を、スリットガラス４５の下方より読み取るものである。第１読取搬送部Ｅは、読取入口ローラ５ｒ、レジストセンサ５ｗ、第１読取ローラ５ｓ、および、読取出口ローラ５ｔを有している。
【００６４】
読取入口ローラ５ｒは、読取入口モータ１１４によって駆動され、ターン部Ｄの中間ローラ５ｐにより送られる原稿Ｓを第１読取位置に向けて搬送するものである。
【００６５】
レジストセンサ５ｗは、読取入口ローラ５ｒにより搬送される原稿Ｓの先端を検知するものである。
【００６６】
第１読取ローラ５ｓは、スリットガラス４５の上面側の、第１読取位置に対向する部位に設けられている。第１読取ローラ５ｓは、後述する読取モータ１０３によって駆動され、スリットガラス４５の上面に画像面を接触させながら、原稿Ｓを搬送するようになっている。
【００６７】
この第１読取ローラ５ｓは、例えば、シェーディングデータを生成するための基準白部を兼用している。ただし、第１読取ローラ５ｓが兼用する基準白部は、ＡＤＦ５のプラテンガラス４６に対向する下面が基準白部としても機能する場合には省略することもできる。
【００６８】
上述したように、画像読取部４のスリットガラス４５は、その下面が、第１読取位置に対応されている。該位置において、画像読取部４は、第１読取部４０によってターン部Ｄにより表面を下方向に向けて搬送される原稿Ｓの表面画像を光学的に読み取るようになっている。
【００６９】
なお、本実施の形態に係る複写機１は、第１読取部４０を画像読取部４に設けてなる構成とした場合について説明したが、これに限らず、例えば第１読取位置において専用に読み取りを行うための読取部をＡＤＦ５の内部に備えた構成としてもよい。
【００７０】
第２読取搬送部Ｆは、第１読取搬送部Ｅによって原稿Ｓの表面画像が読み取られた両面原稿の裏面から裏面画像を読み取るものである。第２読取搬送部Ｆは、排紙センサ５ｘ、第２読取部５４、第２読取ローラ５ｕおよびＣＩＳ出口ローラ５ｖを有している。
【００７１】
排紙センサ５ｘは、読取出口ローラ５ｔにより原稿搬送部５２を搬送される原稿Ｓの先端を検知するものである。
【００７２】
第２読取部５４は、例えば、原稿搬送部５２の他方面である上方側に設けられ、原稿搬送部５２を搬送される原稿Ｓが両面原稿の場合に、その両面原稿の裏面画像を光学的に読み取るものである。第２読取部５４は、第１読取部４０と同様に、例えば、原稿Ｓの搬送方向に直交する主走査方向に沿ってライン形状の光源部と、この光源部と並列にセンサチップを配置してなるＣＩＳと、を含んで構成されている。
【００７３】
第２読取ローラ５ｕは、原稿搬送部５２の一方面である下方側の、第２読取部５４の読取位置となる第２読取位置に対向する部位に設けられている。第２読取ローラ５ｕは、原稿搬送部５２上を搬送される原稿Ｓが、第２読取部５４の第２読取位置において浮き上がらないように抑える機能を有している。また、第２読取ローラ５ｕは、シェーディングデータを生成するための基準白部を兼用しており、例えば、後述する読取モータ１０３によって駆動されるようになっている。
【００７４】
ＣＩＳ出口ローラ５ｖは、第２読取ローラ５ｕにより搬送される原稿Ｓを排紙部Ｇに送るためのもので、後述する読取入口モータ１１４によって駆動されるようになっている。
【００７５】
なお、第２読取搬送部Ｆは、原稿Ｓが裏面画像の読み取りを行わない片面原稿の場合に素通りされる、つまり片面読取モード時には、原稿Ｓが第２読取搬送部Ｆを素通りするようになっている。
【００７６】
排紙部Ｇは、表面画像の読み取りが完了した片面原稿、または、表面画像および裏面画像の読み取りが完了した両面原稿を機外に排出するものである。排紙部Ｇは、後述する排紙モータ１０４によって駆動される排紙ローラ５ｙを有している。
【００７７】
ＡＤＦ５では、排紙センサ５ｘにより原稿Ｓの先端を検知したタイミングに基づいて、排紙モータ１０４に与えるパルスがカウントされ、排紙モータ１０４の駆動速度が、原稿Ｓの後端が排紙ローラ５ｙの上下ローラ対のニップから抜ける直前に減速される。これにより、ＡＤＦ５は、排紙トレイ５３上に排出される原稿Ｓが、排紙トレイ５３から飛び出さないように制御するようになっている。
【００７８】
スタック部Ｈは、排紙部Ｇにより排出される読み取り完了後の原稿Ｓを積載し、保持するものである。スタック部Ｈは、排紙された原稿Ｓを積層状態で保持するための排紙トレイ５３を有している。
【００７９】
なお、第２読取搬送部Ｆは、搬送不良により紙詰まりした原稿Ｓのジャム紙の除去やＣＩＳおよび基準白部（第２読取ローラ５ｕ）などの清掃のために、原稿搬送部５２の搬送路面に沿って開閉可能に設けられている。
【００８０】
図３は、上記したＡＤＦ５をメインに、複写機１の制御回路の概略構成を示すものである。
【００８１】
図３に示すように、ＡＤＦ５は、ＡＤＦ制御部としてのコントローラ部（例えば、ＣＰＵ）１００を備えている。コントローラ部１００には、レジストセンサ５ｗ、原稿セットセンサ５ｃ、排紙センサ５ｘ、突き当てセンサ５ｋ、原稿幅センサ５ｎ、読取入口センサ５ｑ、テーブル上昇センサ５ｈ、および、底板ホームポジションセンサ５ｄが接続されている。
【００８２】
また、コントローラ部１００には、ピックアップ昇降モータ１０１、給紙モータ１０２、読取モータ１０３、排紙モータ１０４、底板上昇モータ１０５、中間搬送モータ１１３、読取入口モータ１１４、および、ピックアップ搬送モータ１１５が接続されている。
【００８３】
底板上昇モータ１０５は、可動原稿テーブル５ａを昇降させるようになっている。ピックアップ昇降モータ１０１は、アーム支持部材を介して、ピックアップローラ５ｇを昇降させるようになっている。なお、ＡＤＦ５としては、可動原稿テーブル５ａを昇降させる底板上昇モータ１０５、および、ピックアップローラ５ｇを昇降させるピックアップ昇降モータ１０１の、いずれか一方を備えるものであってもよい。
【００８４】
ピックアップ搬送モータ１１５は、ピックアップローラ５ｇを回転させるようになっている。給紙モータ１０２は、給紙ベルト５ｉおよびリバースローラ５ｊを回転させるようになっている。また、給紙モータ１０２は、逆転によりプルアウトローラ５ｍを回転させるようになっている。給紙モータ１０２としては、例えば、ＤＣモータまたはステッピングモータなどが用いられる。なお、プルアウトローラ５ｍを回転させる駆動モータは、給紙モータ１０２と独立に設けることも可能である。
【００８５】
読取入口モータ１１４は、読取入口ローラ５ｒ、ＣＩＳ出口ローラ５ｖなどを回転させるようになっている。読取入口モータ１１４としては、ＤＣモータまたはステッピングモータなどが用いられる。中間搬送モータ１１３は、中間ローラ５ｐを回転させるようになっている。中間ローラ５ｐの駆動モータとしては、読取入口モータ１１４を兼用するようにしてもよい。
【００８６】
読取モータ１０３は、第１読取ローラ５ｓおよび第２読取ローラ５ｕを回転させるようになっている。排紙モータ１０４は、排紙ローラ５ｙを回転させるようになっている。
【００８７】
さらに、コントローラ部１００は、各センサ５ｃ，５ｄ，５ｈ，５ｋ，５ｎ，５ｑ，５ｗ，５ｘからの信号に基づいて、各モータ１０１〜１０５，１１３，１１４，１１５および第２読取部５４を制御するようになっている。
【００８８】
なお、第１読取部４０を備える画像読取部４は、後述する複写機１の本体制御部１１１によって制御されるようになっている。
【００８９】
一方、複写機１には、機器全体の制御を行うための本体制御部１１１が設けられている。この本体制御部１１１には、バス線１０６を介して、ユーザによる各種の入力操作や動作指示を行うための操作部（操作パネル）１０８が接続されるとともに、画像読取部４の第１読取部４０、給紙部２、および、画像形成部３などが接続されている。
【００９０】
また、本体制御部１１１は、インタフェース（以下、Ｉ／Ｆともいう）１０７を介して、ＡＤＦ５のコントローラ部１００と接続されており、双方の間で制御信号などのデータの授受を行うようになっている。
【００９１】
なお、操作部１０８は、各種のスイッチ（ボタン）類やテンキーなどのほか、ジャム紙の発生や各種のエラーメッセージなどを表示する表示器１０８Ａやランプなどを備えている。表示器１０８Ａとしては、例えば、タッチパネル式の液晶表示装置などが採用されている。
【００９２】
本実施の形態において、操作部１０８は、後述する報知手段や通知手段４０ｅとしても機能するようになっている。
【００９３】
ここで、ＡＤＦ５による自動原稿搬送に伴う読取動作について簡単に説明する。
【００９４】
例えば、ＡＤＦ５は、ユーザによって、原稿トレイ５１に原稿Ｓを含む原稿束がセットされた後、操作部１０８のスタートボタンが押下されると、Ｉ／Ｆ１０７を介して、本体制御部１１１からコントローラ部１００に原稿給紙信号が送信される。これにより、コントローラ部１００は、ピックアップ昇降モータ１０１、ピックアップ搬送モータ１１５を制御して、ピックアップローラ５ｇを回転駆動させ、原稿セット部Ａにおいて、原稿トレイ５１上の原稿束より最上位の原稿Ｓを１枚ずつピックアップさせる。
【００９５】
また、コントローラ部１００は、給紙モータ１０２や中間搬送モータ１１３などを制御して、給紙ベルト５ｉ、リバースローラ５ｊ、プルアウトローラ５ｍ、中間ローラ５ｐを駆動し、原稿Ｓを分離給送部Ｂ、レジスト部Ｃ、ターン部Ｄへと順に搬送させる。
【００９６】
原稿Ｓの先端が読取入口センサ５ｑにより検知されると、コントローラ部１００は、Ｉ／Ｆ１０７を介して、本体制御部１１１にレジスト停止のための信号を送信する。
【００９７】
続いて、コントローラ部１００は、Ｉ／Ｆ１０７を介して、本体制御部１１１より読み取り開始信号を受信すると、読取モータ１０３および読取入口モータ１１４を制御して、読取入口ローラ５ｒおよび第１読取ローラ５ｓなどを駆動させる。これにより、ＡＤＦ５は、レジスト停止していた原稿Ｓを、第１読取位置に原稿Ｓの先端が到達するまでに所定の搬送速度に立上るように増速させ、第１読取搬送部Ｅへと搬送する。
【００９８】
読取モータ１０３のパルスをカウントすることにより、検出された原稿Ｓの先端が第１読取位置に到達するタイミングで、コントローラ部１００は、本体制御部１１１に対してゲート信号を送信する。コントローラ部１００は、原稿Ｓの表面画像の副走査方向の有効画像領域を示すゲート信号を、第１読取位置を原稿Ｓの後端が抜けるまで送信する。
【００９９】
原稿Ｓが片面原稿の画像読み取りを行う場合には、コントローラ部１００は、読取モータ１０３および読取入口モータ１１４を制御して、読取出口ローラ５ｔ、第２読取ローラ５ｕ、ＣＩＳ出口ローラ５ｖを駆動する。これにより、ＡＤＦ５は、第１読取搬送部Ｅを通過した片面原稿を、第２読取搬送部Ｆの第２読取部５４を経て、排紙部Ｇへと搬送させる。
【０１００】
この際、コントローラ部１００は、排紙センサ５ｘにより片面原稿の先端が検知されると、排紙モータ１０４を制御して排紙ローラ５ｙを駆動させる。また、コントローラ部１００は、排紙センサ５ｘによって片面原稿Ｓの先端を検知してからの、排紙モータ１０４の出力パルスをカウントし、片面原稿の後端が排紙ローラ５ｙの上下ローラ対のニップから抜ける直前に排紙ローラ５ｙの駆動速度を減速させる。これにより、ＡＤＦ５においては、スタック部Ｈに排出される片面原稿Ｓが、排紙トレイ５３上から飛び出さないように制御される。
【０１０１】
一方、両面原稿の画像読み取りを行う場合には、コントローラ部１００は、第２読取部５４による第２読取位置に両面原稿の先端が到達するタイミングで、本体制御部１１１に、両面原稿の裏面画像の副走査方向の有効画像領域を示すゲート信号を送信する。この場合、コントローラ部１００は、排紙センサ５ｘによって両面原稿の先端が検知されてからの読取モータ１０３の出力パルスをカウントすることにより、ゲート信号の送信を開始する。また、コントローラ部１００は、第２読取部５４の第２読取位置を両面原稿の後端が抜けるタイミングで、ゲート信号の送信を終了する。
【０１０２】
こうして、第２読取部５４による両面原稿の裏面画像の読み取りが終了し、該裏面画像に対応するアナログ画像信号が画像データとして本体制御部１１１に出力された後、コントローラ部１００は、排紙モータ１０４を駆動して排紙ローラ５ｙの回転を制御する。すなわち、コントローラ部１００は、排紙センサ５ｘによって両端原稿の先端を検知してからの排紙モータ１０４の出力パルスをカウントし、スタック部Ｈに排出される両面原稿が排紙トレイ５３上から飛び出さないように、排紙ローラ５ｙの駆動を制御する。
【０１０３】
次に、上記した画像読取部４における第１読取部４０の構成について説明する。
【０１０４】
図４に一部を切り欠いて示すように、第１読取部４０は、その主走査方向に沿って配置されたイメージセンサ４１と、イメージセンサ４１の副走査方向に隣接するように併設されたＰＷＢ（Printed Wiring Board）４２と、を有している。
【０１０５】
ＰＷＢ４２上には、白色光を照射する光源部４３、および、後述する画像検出手段としての第１読取制御手段４０ａや発光制御手段としてのＬＥＤ発光制御手段４０ｂなどが配置されている。光源部４３は、例えば、発光手段としての複数のＬＥＤ（発光ダイオード）４３ａ〜４３ｎを直線上に等間隔で列状に整列して配設したものであって、各ＬＥＤ４３ａ〜４３ｎがイメージセンサ４１の所定数のセンサチップＣＣごとに配置されている。例えば、光源部４３は、各ＬＥＤ４３ａ〜４３ｎの１つが、１つのセンサチップＣＣまたは隣接するいくつかのセンサチップＣＣに対応するように、整列方向に沿って配置されている。
【０１０６】
ここで、本実施の形態に係る複写機１は、複数のＬＥＤ４３ａ〜４３ｎを、例えば、原稿の読取時に全発光させることにより、原稿の画像面を照明するための光源部４３としても兼用するようにしている。
【０１０７】
なお、複数のＬＥＤ４３ａ〜４３ｎは、光源部４３とは独立した構成とするようにしてもよい。
【０１０８】
また、センサチップＣＣは、その実数が、当該複写機１の画像読取部４において読み取ることが可能な最大サイズの原稿Ｓまたは原稿の主走査方向の幅（画素数）などに応じて決定されるようになっている。
【０１０９】
上述したように、第１読取部４０は、ＡＤＦ５によって自動搬送される原稿Ｓの表面画像を読み取る際には、図４に示すように、スリットガラス４５の直下に対応する第１読取位置へと移動され、その第１読取位置で固定される。また、プラテンガラス４６上に載置された原稿の表面画像または裏面画像を読み取る際には、第１読取部４０は、プラテンガラス４６の直下へと移動された後、読取動作に伴って、該プラテンガラス４６の下面に沿って副走査方向へと定速移動される。
【０１１０】
なお、第１読取部４０としては、第１読取位置に対応するスリットガラス４５の直下に常設される読取部と、プラテンガラス４６の下面に沿って移動自在な読取部と、を個々に設ける構成としてもよい。
【０１１１】
図５は、第１読取部４０の概略構成を示すものである。
【０１１２】
図５において、第１読取制御手段４０ａは、複写機１の本体制御部１１１やイメージセンサ４１の出力に基づいて、ＬＥＤ発光制御手段４０ｂを制御するものである。ＬＥＤ発光制御手段４０ｂは、第１読取制御手段４０ａの制御にしたがって、光源部４３の各ＬＥＤ４３ａ〜ＬＥＤ４３ｎの発光を個別に制御するものである。
【０１１３】
第１読取制御手段４０ａは、例えば、原稿の読取時には本体制御部１１１からの制御信号にしたがってＬＥＤ発光制御手段４０ｂを制御し、読み取りに必要な光源部４３の各ＬＥＤ４３ａ〜４３ｎを選択的に発光させるようになっている。
【０１１４】
また、第１読取制御手段４０ａは、スリットガラス４５の清掃時には、さらに、イメージセンサ４１の出力信号にしたがってＬＥＤ発光制御手段４０ｂを制御し、光源部４３を構成する全てのＬＥＤ４３ａ〜４３ｎの発光を制御するようになっている。
【０１１５】
すなわち、スリットガラス４５の清掃時、第１読取制御手段４０ａは、例えば、イメージセンサ４１の各センサチップＣＣより電圧値として入力される信号が一定の閾値を超えたか否かを判断するようになっている。そして、この第１読取制御手段４０ａは、その判断結果に基づいて、ＬＥＤ発光制御手段４０ｂに各ＬＥＤ４３ａ〜４３ｎの発光を停止させて非発光状態にするための信号を出力するようになっている。
【０１１６】
以下に、本実施の形態に係る複写機１において、スリットガラス４５の清掃時の第１読取部４０の動作について説明する。
【０１１７】
（第１実施例）
図６は、第１実施例に係るスリットガラス４５の清掃時の処理の流れについて示すものである。また、図７は、本実施例に係るスリットガラス４５の清掃時の処理を説明するために示すものである。なお、図７において、各ＬＥＤ４３ａ〜４３ｎは、黒色によって発光状態が、白色によって非発光状態が、それぞれ示されている。
【０１１８】
図６に示すように、当該複写機１は、例えば、ユーザを含む保守者Ｍによって操作部１０８から特定コードが入力されることによりスリットガラス４５の清掃が指示されると、本体制御部１１１が、給紙部２、画像形成部３、ＡＤＦ５への電源の供給を停止させる。これにより、当該複写機１は、制御回路を除く、給紙部２、画像形成部３、ＡＤＦ５が、いずれも休止状態となり、保守者Ｍは、感電などを心配することなしにスリットガラス４５の清掃を含む保守作業を安全に行うことが可能となる。
【０１１９】
なお、スリットガラス４５の清掃時、画像読取部４は、図７（ａ）に示すように、本体制御部１１１の制御により、第１読取部４０を第１読取位置であるスリットガラス４５の直下に停止させるようになっている。
【０１２０】
また、スリットガラス４５の清掃時、ＡＤＦ５は、該スリットガラス４５の上面を露出させるように、リフトアップ状態とされるようになっている。
【０１２１】
この状態において、第１読取部４０は、本体制御部１１１の制御にしたがって、第１読取制御手段４０ａがＬＥＤ発光制御手段４０ｂを制御することにより、一旦、光源部４３の全ＬＥＤ４３ａ〜４３ｎを発光させる（ステップＳ１）。すなわち、ＬＥＤ４３ａ〜４３ｎは、スリットガラス４５の清掃に備えて、図７（ｂ）に黒色で示すように、その全てが所定の発光量となるように発光される。
【０１２２】
この後、第１読取部４０は、全ＬＥＤ４３ａ〜４３ｎの発光に伴って、イメージセンサ４１の各センサチップＣＣによるスキャン動作を連続的に開始する。そして、イメージセンサ４１は、例えば、各センサチップＣＣで読み取った画像の輝度に応じた電圧値を、第１読取制御手段４０ａに出力する。
【０１２３】
次いで、第１読取部４０は、例えば、第１読取制御手段４０ａによりイメージセンサ４１の各センサチップＣＣで読み取った画像の輝度が一定の閾値以上か否かを判定し、センサチップＣＣごとの反射光の入射の有無を検出する（ステップＳ２）。
【０１２４】
例えば、第１読取部４０では、スリットガラス４５の清掃を実施する場合に、保守者Ｍの手または清掃布Ｔがスリットガラス４５の上面を移動することに伴って、各ＬＥＤ４３ａ〜４３ｎからの光が保守者Ｍの手または清掃布Ｔによって反射される。すなわち、イメージセンサ４１には、清掃が行われた部位に対応するセンサチップＣＣに対してのみ、保守者Ｍの手または清掃布Ｔの画像に応じた反射光が入射する。各センサチップＣＣは、反射光が入射することによって、電圧値となって現れる画像の輝度が高くなる。そこで、第１読取制御手段４０ａは、各センサチップＣＣで読み取った画像の輝度が一定の閾値以上か否かにより、いずれのセンサチップＣＣに反射光の入射があったのかを検出する。こうして、第１読取部４０は、清掃時に、第１読取制御手段４０ａによって保守者Ｍまたは清掃布Ｔからの反射光を検出することにより、スリットガラス４５の上面の主走査方向のどの部位を清掃し、どの部位を清掃していないかを判別する。
【０１２５】
反射光を検出した場合（ステップＳ２のＹＥＳ）、第１読取部４０は、第１読取制御手段４０ａによって画像の輝度が一定の閾値以上であると判定したセンサチップＣＣに対応するＬＥＤの発光を停止させるように、ＬＥＤ発光制御手段４０ｂを制御する。すなわち、第１読取部４０は、第１読取制御手段４０ａの検出結果に応じてＬＥＤ発光制御手段４０ｂを制御し、図７（ｃ）に白色で示すように、反射光が検出された清掃済の部位に対応するＬＥＤの発光を停止させる（ステップＳ３）。
【０１２６】
同様にして、第１読取部４０は、図７(ｄ)に示すように、保守者Ｍの手および清掃布Ｔがスリットガラス４５の上面の位置を変えながら清掃する部位を移動させることに伴って、逐次、反射光が検出された清掃済の部位に対応するＬＥＤの発光を停止させる。
【０１２７】
そして、第１読取部４０は、全ＬＥＤ４３ａ〜４３ｎの発光が停止されるまで、上記ステップＳ２，Ｓ３での処理を繰り返し、全ＬＥＤ４３ａ〜４３ｎの発光が停止されることによって清掃を完了し、上記した一連の処理を終了する（ステップＳ４）。
【０１２８】
このように、本実施例の第１読取部４０は、スリットガラス４５の清掃済の部位に応じてＬＥＤ４３ａ〜４３ｎの発光を停止させ、発光状態のＬＥＤによって、清掃していない未清掃の部位を保守者Ｍが視覚により容易に確認できるようにしている。したがって、この第１読取部４０を搭載した当該複写機１は、保守者Ｍが清掃の熟練者でない場合や一般のユーザが清掃するような場合であっても、未清掃の部位を可視化により容易に視認できるため、スリットガラス４５の清掃漏れを確実に防ぐことが可能となる。すなわち、実施例では、可視光によって未清掃の部位を可視化するため、保守者Ｍが部分的にスリットガラス４５を清掃し忘れるといったミスを解消できる。
【０１２９】
特に、この複写機１は、イメージセンサ４１の分解能によらず、鉛筆の粉や消しゴムのカスまたは乾いていないインクや接着剤などによるスリットガラス４５の汚れのほか、小さな塵や埃などの汚れをも確実に清掃できる。すなわち、本実施例では、スリットガラス４５に付着した汚れを検出するのではなく、保守者Ｍの手や清掃布Ｔを検出するため、汚れが小さくてもイメージセンサ４１の分解能などの影響を受けることがない。
【０１３０】
また、イメージセンサ４１に密着イメージセンサを採用した場合、密着イメージセンサは、検出深度が浅いため、例えば、スリットガラス４５を清掃している清掃布Ｔとスリットガラス４５から離れた位置を単に通過した清掃布Ｔとを混同して検出することがない。したがって、第１読取部４０は、実際に清掃を行っている清掃布Ｔの存在を容易に検出することができ、清掃結果の信頼性を確保することができる。
【０１３１】
なお、当該複写機１は、給紙部２、画像形成部３、および、ＡＤＦ５などを休止状態とせず、単に、操作部１０８のスタートボタンが押下されるまでの待機状態において、スリットガラス４５の清掃を行う場合にも同様に適用できる。
【０１３２】
（第２実施例）
図８は、第２実施例に係るスリットガラス４５の清掃時の処理の流れについて示すものである。
【０１３３】
本実施例は、スリットガラス４５の清掃の継続可否を判断し、スリットガラス４５の清掃完了後に、第１読取制御手段４０ａが、その判断の結果に応じて、再度、全てのＬＥＤ４３ａ〜４３ｎの発光を制御するようにした場合の例である。
【０１３４】
すなわち、第１読取制御手段４０ａは、全てのＬＥＤ４３ａ〜４３ｎの発光を停止させた後（ステップＳ１〜Ｓ４）、ＬＥＤ発光制御手段４０ｂを制御し、全てのセンサチップＣＣへの反射光の入射を検出できるか否かを判断する（ステップＳ５）。
【０１３５】
ステップＳ５において、第１読取制御手段４０ａは、ＡＤＦ５のリフトアップおよびリフトダウンに応じて、スリットガラス４５の清掃の継続可否を判断するために、ＬＥＤ４３ａ〜４３ｎの再発光に伴う全センサチップＣＣへの反射光の入射を検出する。
【０１３６】
例えば、ＡＤＦ５がリフトダウンしている場合、全てのセンサチップＣＣには、第１読取ローラ５ｓの基準白部からの反射光が入射する。このため、第１読取制御手段４０ａは、イメージセンサ４１の出力を読み取ることで、ＡＤＦ５のリフトアップおよびリフトダウンを検知できる。
【０１３７】
したがって、全てのセンサチップＣＣへの反射光の入射を検出した場合（ステップＳ５のＹＥＳ）、第１読取制御手段４０ａは、ＡＤＦ５のリフトダウンを検知したことによりスリットガラス４５の清掃の継続不可を判断する。これにより、第１読取制御手段４０ａは、ＬＥＤ発光制御手段４０ｂによるＬＥＤ４３ａ〜４３ｎの発光制御を終了する。
【０１３８】
一方、全てのセンサチップＣＣへの反射光の入射を検出しない場合（ステップＳ５のＮＯ）、第１読取制御手段４０ａは、ＡＤＦ５がリフトアップされたままであり、スリットガラス４５の清掃の継続が可能であると判断する。これにより、第１読取制御手段４０ａは、センサチップＣＣごとの反射光の入射の有無を検出することによるステップＳ２〜の処理を継続させることが可能となる。
【０１３９】
本実施例によれば、保守者Ｍは、全てのＬＥＤ４３ａ〜４３ｎの再発光によって、スリットガラス４５の汚れの除去状態を容易に確認できる。
【０１４０】
また、ＬＥＤ４３ａ〜４３ｎの再発光は、第１読取ローラ５ｓの基準白部を清掃するための補助光源としても利用することができる。
【０１４１】
（第３実施例）
図９〜図１１は、第３実施例に係るスリットガラス４５の清掃時の処理について示すものである。
【０１４２】
本実施例は、各ＬＥＤ４３ａ〜４３ｎの発光量を少なくとも２段階に切り替えることができるようにした場合の例であり、その一例として、各ＬＥＤ４３ａ〜４３ｎの発光量を４段階に切り替えることができるようにした場合について説明する。
【０１４３】
図９に示すように、本実施例の第１読取部４０Ａは、例えば、各ＬＥＤ４３ａ〜４３ｎの発光量を４段階に切り替えることが可能な発光量制御手段４０ｃを、さらに備えている。発光量制御手段４０ｃは、スイッチ部ＳＷ（ＳＷ１〜ＳＷｎ）と抵抗部Ｒａ（Ｒａ１〜Ｒａｎ）とからなる複数の光量制御回路４０ｃ−１〜４０ｃ−ｎを含み、各光量制御回路４０ｃ−１〜４０ｃ−ｎが各ＬＥＤ４３ａ〜４３ｎに対応して設けられている。
【０１４４】
例えば、光量制御回路４０ｃ−１は、そのスイッチ部ＳＷ１が、ＬＥＤ発光制御手段４０ｂ内に並列に設けられた第１スイッチＳＷ（１ａ）と第２スイッチＳＷ（１ｂ）とによって構成されている。また、光量制御回路４０ｃ−１は、その抵抗部Ｒａ１が、第１スイッチＳＷ（１ａ）に直列に接続された第１抵抗素子Ｒａ（１ａ）と、第２スイッチＳＷ（１ｂ）に直列に接続された第２抵抗素子Ｒａ（１ｂ）と、によって構成されている。
【０１４５】
同様に、光量制御回路４０ｃ−ｎは、そのスイッチ部ＳＷｎが、ＬＥＤ発光制御手段４０ｂ内に並列に設けられた第１スイッチＳＷ（ｎａ）と第２スイッチＳＷ（ｎｂ）とによって構成されている。また、光量制御回路４０ｃ−ｎは、その抵抗部Ｒａｎが、第１スイッチＳＷ（ｎａ）に直列に接続された第１抵抗素子Ｒａ（ｎａ）と、第２スイッチＳＷ（ｎｂ）に直列に接続された第２抵抗素子Ｒａ（ｎｂ）と、によって構成されている。
【０１４６】
本実施例において、発光量制御手段４０ｃは、各光量制御回路４０ｃ−１〜４０ｃ−ｎの抵抗部Ｒａ１〜Ｒａｎが、例えば、「第１抵抗素子Ｒａ（１ａ）〜Ｒａ（ｎａ）  ＞  第２抵抗素子Ｒａ（１ｂ）〜Ｒａ（ｎｂ）」の関係となるように設定されている。
【０１４７】
図１０は、発光量制御手段４０ｃの光量制御回路４０ｃ−１を例に、スイッチ部ＳＷ１のオン（ＯＮ）／オフ（ＯＦＦ）の組合せについて示すものである。
【０１４８】
本実施例の第１読取部４０Ａは、清掃時に、第１読取制御手段４０ａの検出結果に応じて、各ＬＥＤ４３ａ〜４３ｎに対応する発光量制御手段４０ｃの各光量制御回路４０ｃ−１〜４０ｃ−ｎを制御するようになっている。こうして、第１読取部４０Ａでは、各スイッチ部ＳＷ１〜ＳＷｎのオン／オフの組合せをＬＥＤ４３ａ〜４３ｎごとに変化させることにより、対応するＬＥＤ４３ａ〜４３ｎの発光量の切り替えを行うようになっている。
【０１４９】
例えば、第１読取部４０Ａは、図１０に示すように、第１読取制御手段４０ａのカウント回数に応じて、ＬＥＤ４３ａをオン／オフ制御する光量制御回路４０ｃ−１のスイッチ部ＳＷ１の組合せにより、ＬＥＤ４３ａの発光量を４段階に切り替える。
【０１５０】
すなわち、図１０の例では、第１読取制御手段４０ａのカウント回数が「０」のとき、ＬＥＤ発光制御手段４０ｂは、光量制御回路４０ｃ−１のスイッチ部ＳＷ１の第１，第２スイッチＳＷ（１ａ），ＳＷ（１ｂ）を共にオンさせる。また、第１読取制御手段４０ａのカウント回数が「１」のとき、ＬＥＤ発光制御手段４０ｂは、光量制御回路４０ｃ−１のスイッチ部ＳＷ１の第２スイッチＳＷ（１ｂ）のみをオンさせる。また、第１読取制御手段４０ａのカウント回数が「２」のとき、ＬＥＤ発光制御手段４０ｂは、光量制御回路４０ｃ−１のスイッチ部ＳＷ１の第１スイッチＳＷ（１ａ）のみをオンさせる。また、第１読取制御手段４０ａのカウント回数が「３」のとき、ＬＥＤ発光制御手段４０ｂは、光量制御回路４０ｃ−１のスイッチ部ＳＷ１の第１，第２スイッチＳＷ（１ａ），ＳＷ（１ｂ）を共にオフさせる。
【０１５１】
なお、第１読取制御手段４０ａにより検出されるカウント回数とは、保守者Ｍの手または清掃布Ｔからの反射光が各センサチップＣＣに入射した回数であり、該反射光が入射したセンサチップＣＣに対応するスリットガラス４５の部位を清掃した回数を示している。
【０１５２】
ここで、光量制御回路４０ｃ−１のスイッチ部ＳＷ１の第１，第２スイッチＳＷ（１ａ），ＳＷ（１ｂ）の両方がオンされた場合、ＬＥＤ４３ａの発光量は、第１，第２抵抗素子Ｒａ（１ａ），Ｒａ（１ｂ）の合成抵抗Ｒａ（１）によって決定される。該合成抵抗Ｒａ（１）は、
Ｒａ（１）＝Ｒａ（１ａ）・Ｒａ（１ｂ）／Ｒａ（１ａ）＋Ｒａ（１ｂ）
により求めることができる。
【０１５３】
ＬＥＤ４３ａは、供給される電流量が多くなるほど発光量が増える。このことから、ＬＥＤ４３ａの発光量は、第１，第２抵抗素子Ｒａ（１ａ），Ｒａ（１ｂ）の組合せによって決まる抵抗値に逆比例する。
【０１５４】
したがって、抵抗値が、第１抵抗素子Ｒａ（１ａ）  ＞  第２抵抗素子Ｒａ（１ｂ）の関係にあるとき、ＬＥＤ４３ａの発光量は、
Ｒａ（１）  ＞  Ｒａ（１ｂ）  ＞  Ｒａ（１ａ）  ＞  Ｒ０
の順で変化する。
【０１５５】
なお、Ｒａ（１）は、第１，第２スイッチＳＷ（１ａ），ＳＷ（１ｂ）を共にオンした際の合成抵抗Ｒａ（１）による抵抗値である。また、Ｒａ（１ｂ）は、第２スイッチＳＷ（１ｂ）のみをオンしたときの第２抵抗素子Ｒａ（１ｂ）の抵抗値であり、Ｒａ（１ａ）は、第１スイッチＳＷ（１ａ）のみをオンしたときの第１抵抗素子Ｒａ（１ａ）の抵抗値である。そして、Ｒ０は、第１，第２スイッチＳＷ（１ａ），ＳＷ（１ｂ）を共にオフした場合の、いわゆるＬＥＤ４３ａの非発光状態を示している。
【０１５６】
図１１は、第３実施例に係るスリットガラス４５の清掃時の処理の流れについて示すものである。
【０１５７】
図１１に示すように、当該複写機１は、例えば、ユーザを含む保守者Ｍによって操作部１０８からスリットガラス４５の清掃が指示されたことに伴って、本体制御部１１１により、第１読取部４０Ａをスリットガラス４５の直下の第１読取位置に停止させる。
【０１５８】
この状態において、第１読取部４０Ａは、本体制御部１１１の制御にしたがって、第１読取制御手段４０ａがＬＥＤ発光制御手段４０ｂを制御することにより、一旦、光源部４３の全ＬＥＤ４３ａ〜４３ｎを最大の発光量で発光させる（ステップＳ１１）。すなわち、清掃の開始時は、第１読取制御手段４０ａのカウント回数が「０」である。よって、ＬＥＤ発光制御手段４０ｂは、各光量制御回路４０ｃ−１〜４０ｃ−ｎのスイッチ部ＳＷ１〜ＳＷｎの第１スイッチＳＷ（１ａ）〜ＳＷ（ｎａ）および第２スイッチＳＷ（１ｂ）〜ＳＷ（ｎｂ）を共にオンさせる。これにより、各ＬＥＤ４３ａ〜４３ｎは、スリットガラス４５の清掃に備えて、その全てが合成抵抗Ｒａ（１）〜Ｒａ（ｎ）に応じた発光量で発光する。
【０１５９】
この後、第１読取部４０Ａは、全ＬＥＤ４３ａ〜４３ｎの発光に伴って、イメージセンサ４１の各センサチップＣＣによるスキャン動作を連続的に開始する。そして、イメージセンサ４１は、例えば、各センサチップＣＣで読み取った画像の輝度に応じた電圧値を、第１読取制御手段４０ａに出力する。
【０１６０】
次いで、第１読取部４０Ａは、例えば、第１読取制御手段４０ａにより各センサチップＣＣで読み取った画像の輝度が一定の閾値以上か否かを判定し、センサチップＣＣごとの反射光の入射の有無を検出する（ステップＳ１２，Ｓ１４，Ｓ１６）。こうして、第１読取部４０Ａでは、上述したように、清掃時に、第１読取制御手段４０ａによってセンサチップＣＣごとの反射光の入射の有無を検出し、センサチップＣＣごとの清掃の回数をカウントする。
【０１６１】
次いで、第１読取部４０Ａは、第１読取制御手段４０ａによるカウント回数が増えるたびに、保守者Ｍの清掃布Ｔによるスリットガラス４５の清掃が検出された部位のセンサチップＣＣに対応するＬＥＤの発光量を切り替える（ステップＳ１３，Ｓ１５，Ｓ１７）。
【０１６２】
すなわち、第１読取制御手段４０ａは、清掃の回数に応じて、ＬＥＤ発光制御手段４０ｂを制御する。
【０１６３】
例えば、ステップＳ１２において、第１読取制御手段４０ａが１回目の清掃を検出したとする。すると、ステップＳ１３において、ＬＥＤ発光制御手段４０ｂは、清掃を検出した部位に対応する光量制御回路４０ｃ−１〜４０ｃ−ｎのスイッチ部ＳＷ１〜ＳＷｎの第１スイッチＳＷ（１ａ）〜ＳＷ（ｎａ）のみをオフさせる。これにより、第１スイッチＳＷ（１ａ）〜ＳＷ（ｎａ）がオフされ、第２スイッチＳＷ（１ｂ）〜ＳＷ（ｎｂ）のみがオンされたＬＥＤ４３ａ〜４３ｎは、その発光量が、それまでの発光量よりも１段階だけ低下するように減少される。
【０１６４】
また、例えば、ステップＳ１４において、第１読取制御手段４０ａが２回目の清掃を検出したとする。すると、ステップＳ１５において、ＬＥＤ発光制御手段４０ｂは、対応する光量制御回路４０ｃ−１〜４０ｃ−ｎのスイッチ部ＳＷ１〜ＳＷｎの第１スイッチＳＷ（１ａ）〜ＳＷ（ｎａ）をオンさせ、第２スイッチＳＷ（１ｂ）〜ＳＷ（ｎｂ）をオフさせる。これにより、第１スイッチＳＷ（１ａ）〜ＳＷ（ｎａ）のみがオンされ、第２スイッチＳＷ（１ｂ）〜ＳＷ（ｎｂ）がオフされたＬＥＤ４３ａ〜４３ｎは、その発光量が、それまでの発光量よりもさらに１段階だけ低下するように減少される。
【０１６５】
また、例えば、ステップＳ１６において、第１読取制御手段４０ａが３回目の清掃を検出したとする。すると、ステップＳ１７において、ＬＥＤ発光制御手段４０ｂは、対応する光量制御回路４０ｃ−１〜４０ｃ−ｎのスイッチ部ＳＷ１〜ＳＷｎの第１スイッチＳＷ（１ａ）〜ＳＷ（ｎａ）および第２スイッチＳＷ（１ｂ）〜ＳＷ（ｎｂ）を共にオフさせる。これにより、第１スイッチＳＷ（１ａ）〜ＳＷ（ｎａ）および第２スイッチＳＷ（１ｂ）〜ＳＷ（ｎｂ）がオフされたＬＥＤ４３ａ〜４３ｎは、それまでの発光量よりもさらに低下するように、発光そのものが停止される。
【０１６６】
こうして、第１読取部４０Ａは、全ＬＥＤ４３ａ〜４３ｎの発光が停止されることによって清掃を完了し、上記した一連の処理を終了する。
【０１６７】
このように、本実施例の第１読取部４０Ａは、清掃時に、第１読取制御手段４０ａによって、保守者Ｍの手または清掃布Ｔからの反射光が各センサチップＣＣに入射した回数をカウントする。そして、第１読取制御手段４０ａは、そのカウント回数を検出結果として、ＬＥＤ発光制御手段４０ｂを制御する。これにより、ＬＥＤ発光制御手段４０ｂは、第１読取制御手段４０ａの検出結果に応じて、発光量制御手段４０ｃの各光量制御回路４０ｃ−１〜４０ｃ−ｎのスイッチ部ＳＷ１〜ＳＷｎのオン／オフを切り替える。したがって、本実施例の第１読取部４０Ａは、各ＬＥＤ４３ａ〜４３ｎの発光量を、保守者Ｍの手または清掃布Ｔを検出した清掃の回数に応じて変化させることができる。
【０１６８】
本実施例によれば、当該複写機１は、スリットガラス４５を清掃するごとに各ＬＥＤ４３ａ〜４３ｎの発光量を変化させることができるので、保守者Ｍが清掃しながら目視にて清掃の完了を確認することができる。
【０１６９】
なお、本実施例は、各ＬＥＤ４３ａ〜４３ｎの発光量の切り替え段数が４段階に限定されるものではなく、適宜、決定するようにしてもよい。
【０１７０】
また、本実施例は、第２実施例に示したように、全ＬＥＤ４３ａ〜４３ｎの発光が停止された後に、検出結果に応じて、再度、全てのＬＥＤ４３ａ〜４３ｎの発光を制御するようにしてもよい。
【０１７１】
（第４実施例）
図１２は、第４実施例に係るスリットガラス４５の清掃時の制御について示すものである。
【０１７２】
本実施例は、光源部４３の各ＬＥＤ４３ａ〜４３ｎが、赤色発光ダイオード（赤色ＬＥＤ）４３Ｒ、緑色発光ダイオード（緑色ＬＥＤ）４３Ｇ、青色発光ダイオード（青色ＬＥＤ）４３Ｂによって構成されている場合を例示している。
【０１７３】
図１２（ａ）に示すように、本実施例の第１読取部４０Ｂは、光源部４３が、画像の読取時には、各ＬＥＤ４３ａ〜４３ｎの３色のＬＥＤ４３Ｒ，４３Ｇ，４３Ｂにより白色光を生成し、その白色光をスリットガラス４５上の原稿Ｓに照射するようになっている。
【０１７４】
一方、スリットガラス４５を清掃する際には、図１２（ｂ）に示すように、第１読取部４０Ｂは、白色光を生成せず、赤色ＬＥＤ４３Ｒ、緑色ＬＥＤ４３Ｇ、青色ＬＥＤ４３Ｂを順次切り替えて異なる光源色となるように光源部４３を制御するようになっている。
【０１７５】
すなわち、本実施例の第１読取部４０Ｂは、清掃時に、各色のＬＥＤ４３Ｒ，４３Ｇ，４３Ｂを選択的に発光させることにより、光源色によってスリットガラス４５の未清掃の部位を可視化するようにしている。このような構成とした場合にも、清掃していない未清掃の部位を保守者Ｍが視覚により容易に確認できるようになる。
【０１７６】
なお、ＬＥＤ４３ａ〜４３ｎの光源色は、Ｒ，Ｇ，Ｂの単色であってもよいし、複数の色からなる多色であってもよい。
【０１７７】
汚れは、その色や保守者Ｍの視覚能力によって発見しやすさが異なるため、ＬＥＤ４３ａ〜４３ｎの光源色を、清掃時は白色光ではなく、多色光とすることによって、どのような保守者Ｍや汚れにも対応できるようになる。
【０１７８】
また、この第４実施例は、上述した第２実施例または第３実施例と適宜組み合わせるようにしてもよい。
【０１７９】
（第５実施例）
図１３〜図１５は、第５実施例に係るスリットガラス４５の清掃時の処理について示すものである。
【０１８０】
本実施例において、スリットガラス４５は、その主走査方向の両端部に、清掃検知手段としての、フォトダイオードに代表される発光素子４８とフォトトランジスタに代表される受光素子４９とが設けられている。発光素子４８および受光素子４９は、例えば、スリットガラス４５の他面側である上面側の、イメージセンサ４１から最も離れた、原稿Ｓの搬送方向である副走査方向の上流側に設置されている。
【０１８１】
発光素子４８および受光素子４９は、その相互間に、保守者Ｍの手や清掃布Ｔがない場合には、発光素子４８からの光を受光素子４９が受光するようになっている。一方、発光素子４８および受光素子４９の相互間に保守者Ｍの手や清掃布Ｔがある場合には、発光素子４８からの光が保守者Ｍの手や清掃布Ｔによって遮られるため、受光素子４９は、発光素子４８からの光を受光できなくなる。
【０１８２】
したがって、本実施例の第１読取部４０は、例えば、第１読取制御手段４０ａにより受光素子４９が発光素子４８からの光を受光できない場合に、イメージセンサ４１とは副走査方向に対して逆側のスリットガラス４５の清掃の実施を検知できる。
【０１８３】
図１４は、第５実施例に係るスリットガラス４５の清掃時の処理の流れについて示すものである。また、図１５は、本実施例に係るスリットガラス４５の清掃時の処理を説明するために示すものである。なお、図１５において、各ＬＥＤ４３ａ〜４３ｎは、黒色によって発光状態が、白色によって非発光状態が、それぞれ示されている。
【０１８４】
図１４に示すように、当該複写機１は、例えば、ユーザを含む保守者Ｍによって操作部１０８からスリットガラス４５の清掃が指示されたことに伴って、本体制御部１１１により、第１読取部４０をスリットガラス４５の直下の第１読取位置に停止させる。
【０１８５】
この状態において、第１読取部４０は、本体制御部１１１の制御にしたがって、第１読取制御手段４０ａがＬＥＤ発光制御手段４０ｂを制御することにより、一旦、光源部４３の全ＬＥＤ４３ａ〜４３ｎを所定の発光量で発光させる（ステップＳ２１）。
【０１８６】
この後、第１読取部４０は、全ＬＥＤ４３ａ〜４３ｎの発光に伴って、イメージセンサ４１の各センサチップＣＣによるスキャン動作を連続的に開始する。そして、イメージセンサ４１は、例えば、清掃時に各センサチップＣＣで読み取った画像の輝度に応じた電圧値を、第１読取制御手段４０ａに出力する（図１５（ａ）参照）。
【０１８７】
次いで、第１読取部４０は、例えば、第１読取制御手段４０ａにより各センサチップＣＣで読み取った画像の輝度が一定の閾値以上か否かを判定し、センサチップＣＣごとの反射光の入射の有無を検出する（ステップＳ２２）。こうして、第１読取部４０は、清掃時に、保守者Ｍまたは清掃布Ｔからの反射光を検出することにより、図１５（ｂ）に示すように、保守者Ｍが清掃布Ｔを用いてスリットガラス４５の上面の主走査方向のどの部位を清掃し、どの部位を清掃していないかを判別する。
【０１８８】
反射光を検出した場合（ステップＳ２２のＹＥＳ）、第１読取部４０は、例えば、第１読取制御手段４０ａによって、受光素子４９が発光素子４８からの光を受光したか否かに基づいて、保守者Ｍの手や清掃布Ｔを検知したかどうかを判断する（ステップＳ２３）。
【０１８９】
保守者Ｍの手や清掃布Ｔを検知した場合（ステップＳ２３のＮＯ）、第１読取部４０は、第１読取制御手段４０ａによって反射光の入射を検出したセンサチップＣＣに対応するＬＥＤの発光を停止させるように、ＬＥＤ発光制御手段４０ｂを制御する。すなわち、第１読取部４０は、受光素子４９が発光素子４８からの光を受光しない場合（ステップＳ２３のＮＯ）に、第１読取制御手段４０ａによる反射光の入射の有無に応じた検出結果にしたがって、ＬＥＤ発光制御手段４０ｂを制御する。これにより、図７（ｃ）に白色で示すように、第１読取部４０は、反射光が検出された清掃済の部位に対応するＬＥＤの発光を停止させる（ステップＳ２４）。
【０１９０】
こうして、第１読取部４０は、全ＬＥＤ４３ａ〜４３ｎの発光が停止されるまで、上記ステップＳ２２〜Ｓ２４での処理を繰り返し、全ＬＥＤ４３ａ〜４３ｎの発光が停止されることによって清掃を完了し、上記した一連の処理を終了する（ステップＳ２５）。
【０１９１】
このように、本実施例の第１読取部４０は、清掃時に、例えば第１読取制御手段４０ａによって、原稿Ｓの搬送方向の上流側であるイメージセンサ４１とは逆側の部位を清掃しているか否かを検知できるようになる。すなわち、第１読取部４０は、受光素子４９が発光素子４８からの光を検知している場合（ステップＳ２３のＹＥＳ）にはＬＥＤ４３ａ〜４３ｎの発光を停止させないため、スリットガラス４５の清掃漏れを保守者Ｍに視認により確認させることができる。これにより、この第１読取部４０は、イメージセンサ４１の直上の部位のみを清掃した場合に、イメージセンサ４１の読み取り範囲外に残った紙粉などの汚れが原稿Ｓの搬送中に移動し、読取画像に影響を与えるような汚れとなるのを防止できる。
【０１９２】
特に、発光素子４８および受光素子４９は、スリットガラス４５上の副走査方向のイメージセンサ４１とは逆側に配置されるようにすることにより、スリットガラス４５の副走査方向の拭き残しによる清掃漏れをも防止できるようになる。
【０１９３】
なお、この第５実施例は、上述した第２〜第４実施例と適宜組み合わせるようにしてもよい。
【０１９４】
（第６実施例）
図１６は、第６実施例に係るスリットガラス４５の清掃時の処理の流れについて示すものである。
【０１９５】
本実施例は、スリットガラス４５の清掃時において、予め任意に設定可能な規定時間を経過した後に、スリットガラス４５の清掃が完了しているか否かを判断し、未完了の場合に清掃を完了させるよう促すようにした場合の例である。
【０１９６】
例えば、図６に示した第１実施例での処理を例に説明すると、本実施例の第１読取部４０は、ステップＳ１〜Ｓ３の処理を終了した後（ステップＳ３１）に、ステップＳ４の処理に代えて、ステップＳ３２〜Ｓ３５の処理を実行するようになっている。
【０１９７】
すなわち、当該複写機１は、例えば、図６のステップＳ１〜Ｓ３に相当するステップＳ３１の清掃処理を行った後、第１読取部４０が、ステップＳ３２において、保守者Ｍによって予め設定された規定時間（１）の経過後に清掃が完了しているか否かを判断する。
【０１９８】
このステップＳ３２において、第１読取部４０は、第１読取制御手段４０ａが全ＬＥＤ４３ａ〜４３ｎの発光停止を判断した場合（ＹＥＳ）、清掃を完了し、上記した一連の処理を終了する。
【０１９９】
一方、このステップＳ３２において、第１読取部４０は、全ＬＥＤ４３ａ〜４３ｎの発光停止を判断しない場合（ＮＯ）、ステップＳ３３において、例えば本体制御部１１１を介して操作部１０８の表示器（報知手段）１０８Ａなどを制御する。これにより、例えば、操作部１０８の表示器１０８Ａは、拭き残しの有無を報知し、保守者Ｍに清掃を促すように通知する。
【０２００】
次いで、第１読取部４０は、例えば、保守者Ｍによって予め設定された規定時間（２）を経過した後に、全ＬＥＤ４３ａ〜４３ｎが発光停止されたか否かを判断する（ステップＳ３４）。
【０２０１】
このステップＳ３４において、第１読取部４０は、第１読取制御手段４０ａが全ＬＥＤ４３ａ〜４３ｎの発光停止を判断した場合（ＹＥＳ）、清掃を完了し、上記した一連の処理を終了する。
【０２０２】
一方、このステップＳ３４において、第１読取部４０は、全ＬＥＤ４３ａ〜４３ｎの発光停止を判断しない場合（ＮＯ）、ステップＳ３５において、例えば本体制御部１１１を介して操作部１０８の表示器１０８Ａなどを制御し、拭き残しがあることを報知する。また、第１読取部４０は、保守者Ｍに清掃が未完了であることを通知した上で、例えば本体制御部１１１を制御して、スリットガラス４５の清掃を強制的に終了させる。
【０２０３】
このように、本実施例の第１読取部４０は、清掃時に、所定の時間内にスリットガラス４５の清掃が完了しない場合に、それを通知することによって、保守者Ｍに清掃を促すようにしている。すなわち、第１読取部４０は、ＬＥＤ４３ａ〜４３ｎの点灯状態が一定時間以上も経過した場合に、清掃の未完了を通知するようにしている。これにより、スリットガラス４５の清掃を保守者Ｍに促すことが可能になるため、当該複写機１は、スリットガラス４５の清掃中の放置や、清掃漏れがある状態での原稿Ｓの読み取り動作を未然に防止でき、不良画像の読み取りに係る労力やコストを低減できる。
【０２０４】
また、ＬＥＤ４３ａ〜４３ｎの点灯状態が一定時間以上も経過した場合に、第１読取部４０は、スリットガラス４５の清掃を強制的に終了させることにより、ＬＥＤ４３ａ〜４３ｎの消費電力の浪費を抑えることもできる。
【０２０５】
なお、本実施例は、上述した第１実施例に限らず、例えば、第３〜第５実施例のいずれにも適用できる。
【０２０６】
（第７実施例）
図１７および図１８は、第７実施例に係るスリットガラス４５を清掃する際の処理について示すものである。
【０２０７】
本実施例は、スリットガラス４５の清掃に際して、履歴情報に基づいてスリットガラス４５の清掃の時期を保守者Ｍに促すようにした場合の例である。
【０２０８】
図１７に示すように、本実施例の第１読取部４０Ｃは、第１読取制御手段４０ａ、ＬＥＤ発光制御手段４０ｂ、イメージセンサ４１、および、光源部４３を構成する複数のＬＥＤ４３ａ〜ＬＥＤ４３ｎのほか、記憶手段４０ｄと通知手段４０ｅとを備えている。
【０２０９】
記憶手段４０ｄは、例えば、第１読取制御手段４０ａにより情報の読み書きが制御されるＲＡＭなどによって構成され、清掃時ごとに、経過時間（清掃日時）やイメージセンサ４１の使用に関する累積通紙枚数などの履歴情報を更新記憶するようになっている。
【０２１０】
通知手段４０ｅは、例えば、第１読取制御手段４０ａにより制御される表示器やブザーなどによって構成され、記憶手段４０ｄで記憶された履歴情報に基づいて決定される、スリットガラス４５の清掃の実施の時期を保守者Ｍなどに通知するものである。
【０２１１】
図１８に示すように、第１読取部４０Ｃは、例えば原稿セット時などにおいて、第１読取制御手段４０ａによって定期的または不定期的に記憶手段４０ｄで記憶された履歴情報をチェックし、経過時間または累積通紙枚数を確認する（ステップＳ４１）。
【０２１２】
次いで、第１読取部４０Ｃは、例えば、第１読取制御手段４０ａによって、確認された経過時間または累積通紙枚数が予め任意に設定可能な規定値を超過しているか否かを判断する（ステップＳ４２）。
【０２１３】
このステップＳ４２において、第１読取部４０Ｃは、例えば、第１読取制御手段４０ａが経過時間または累積通紙枚数は規定値を超過していないと判断した場合（ＮＯ）、本体制御部１１１を制御して、当該複写機１を画像形成動作が可能な状態に維持させる。
【０２１４】
一方、ステップＳ４２において、第１読取制御手段４０ａは、経過時間または累積通紙枚数が規定値を超過していると判断した場合（ＹＥＳ）、通知手段４０ｅを用いて、保守者Ｍなどにスリットガラス４５の清掃の時期であることを通知する（ステップＳ４３）。
【０２１５】
スリットガラス４５の清掃の時期であることが通知されると、当該複写機１では、例えば、上述した第１実施例（または、第１〜第６実施例のいずれか）にしたがって、適宜、保守者Ｍによるスリットガラス４５の清掃が行われる。
【０２１６】
なお、ステップＳ４４において、第１読取部４０Ｃは、保守者Ｍによるスリットガラス４５の清掃が実施されたことを判断できない場合（ＮＯ）、本体制御部１１１を制御して、当該複写機１を画像形成動作が可能な状態に維持させる。
【０２１７】
一方、ステップＳ４４において、第１読取部４０Ｃは、保守者Ｍによるスリットガラス４５の清掃が実施されたことを判断した場合（ＹＥＳ）、例えば、第１読取制御手段４０ａにより記憶手段４０ｄで記憶された履歴情報を更新する（ステップＳ４５，Ｓ４６）。
【０２１８】
例えば、第１読取制御手段４０ａは、記憶手段４０ｄで記憶されている履歴情報を消去（ステップＳ４５）し、その後、清掃の実施日時または累積通紙枚数などから新たな履歴情報を構築し、記憶手段４０ｄで記憶させる（ステップＳ４６）。
【０２１９】
この後、第１読取部４０Ｃは、本体制御部１１１を制御して、当該複写機１を画像形成動作が可能な状態に復帰させる。
【０２２０】
このように、本実施例の第１読取部４０Ｃは、単に、スリットガラス４５の清掃漏れを確実に防ぐことが可能となるのみでなく、スリットガラス４５の清掃の時期をも容易に管理できるようになる。
【０２２１】
特に、当該複写機１は、履歴情報に基づいて最適のタイミングでスリットガラス４５の清掃を実施するように促すことができ、付着する汚れを最小限に抑えつつ、常に、スリットガラス４５を最適な状態に保つことが可能となる。
【０２２２】
なお、通知手段４０ｅは、当該複写機１の操作部１０８の表示器１０８Ａなどと兼用させるようにしてもよい。
【０２２３】
また、履歴情報は、清掃の実施日時または累積通紙枚数に限定されるものではなく、記憶手段４０ｄに順に累積して記憶させるようにしてもよい。
【０２２４】
上記したように、本実施の形態は、塵や埃などの極めて小さな汚れであっても確実に清掃でき、スリットガラス４５の清掃漏れを防ぐことができる。
【０２２５】
すなわち、第１読取部４０は、清掃時、ＬＥＤ発光制御手段４０ｂにより、一旦、複数のＬＥＤ４３ａ〜４３ｎの全てを発光させるとともに、第１読取制御手段４０ａによって、読み取った画像の輝度が一定の閾値以上であるか否かを検出する。そして、第１読取制御手段４０ａは、その検出結果に基づいてＬＥＤ発光制御手段４０ｂを制御し、画像の輝度が一定の閾値以上であることが検出されたセンサチップＣＣに対応するＬＥＤ４３ａ〜４３ｎの発光を停止させる。これにより、保守者Ｍは、ＬＥＤ４３ａ〜４３ｎの発光によって、スリットガラス４５の未清掃の部位を視認により確認できるようになる。したがって、スリットガラス４５の特定の部位を拭き残すといった清掃漏れを確実に防止できるようになる。
【０２２６】
なお、上述した本実施の形態は、画像読取装置を複写機１における画像読取部４の第１読取部４０に適用したが、これに限らず、例えばＡＤＦ５の第２読取部５４にも適用することができる。
【０２２７】
また、画像形成装置は、複写機１に限らず、例えばＦＡＸやスキャナ装置、あるいは、これらの機能を複合的に備えた複合機などの各種のオフィス機器に適用できる。
【０２２８】
以上説明したように、本発明は、塵や埃などの極めて小さな汚れであっても確実に清掃でき、透明部材の清掃漏れを防ぐことができるという効果を有し、画像読取装置全般に有用である。
【符号の説明】
【０２２９】
１  複写機
４  画像読取部
５  ＡＤＦ（搬送手段）
４０，４０Ａ，４０Ｂ，４０Ｃ  第１読取部（画像読取装置）
４０ａ  第１読取制御手段（画像検出手段）
４０ｂ  ＬＥＤ発光制御手段（発光制御手段）
４０ｃ  発光量制御手段
４０ｄ  記憶手段
４０ｅ  通知手段
４１  イメージセンサ（画像読取手段）
４３  光源部
４３ａ〜４３ｎ  ＬＥＤ（発光手段）
４５  スリットガラス（保護手段，画像読取装置）
４８  発光素子（清掃検知手段）
４９  受光素子（清掃検知手段）
５２  原稿搬送部（搬送手段）
１０８Ａ  表示器（報知手段）
Ｓ  原稿（被読取対象）
ＣＣ  センサチップ（センサ素子）
【先行技術文献】
【特許文献】
【０２３０】
【特許文献１】特開２０１０−３４６８０号公報
【図１】
2015220486.tif 000003
【図２】
2015220486.tif 000004
【図３】
2015220486.tif 000005
【図４】
2015220486.tif 000006
【図５】
2015220486.tif 000007
【図６】
2015220486.tif 000008
【図７】
2015220486.tif 000009
【図８】
2015220486.tif 000010
【図９】
2015220486.tif 000011
【図１０】
2015220486.tif 000012
【図１１】
2015220486.tif 000013
【図１２】
2015220486.tif 000014
【図１３】
2015220486.tif 000015
【図１４】
2015220486.tif 000016
【図１５】
2015220486.tif 000017
【図１６】
2015220486.tif 000018
【図１７】
2015220486.tif 000019
【図１８】
2015220486.tif 000020